(57)【要約】【課題】筐体に触ると火傷をする可能性がある危険な温度であることをユーザが筐体を触らずして容易に認識できる電球形照明用光源を提供する。【解決手段】発光モジュール１５０と、前記発光モジュール１５０を点灯させる点灯ユニット１３０と、前記発光モジュール１５０及び点灯ユニット１３０が取り付けられた筐体１０１と、前記筐体１０１内に配置され、当該筐体１０１が第１の温度の場合は第１の形状であり、第１の温度よりも高い第２の温度になると第２の形状に変形する熱変形性部材１７３と、前記熱変形性部材１７３が第１の形状の場合は第１の表示形態に、前記熱変形性部材１７３が第２の形状に変形するとその変形に応じて第２の表示形態に変化し、変化したことが前記筐体１０１の外側から視認可能な状態で前記筐体１０１に取り付けられた温度情報表示ユニット１７０とを備えた電球形照明用光源１００とする。【選択図】図１
2010176902.tif 000002
【特許請求の範囲】
【請求項１】
発光モジュールと、
前記発光モジュールを点灯させる点灯ユニットと、
前記発光モジュール及び点灯ユニットが取り付けられた筐体と、
前記筐体内に配置され、当該筐体が第１の温度の場合は第１の形状であり、第１の温度よりも高い第２の温度になると第２の形状に変形する熱変形性部材と、
前記熱変形性部材が第１の形状の場合は第１の表示形態に、前記熱変形性部材が第２の形状に変形するとその変形に応じて第２の表示形態に変化し、第１の表示形態から第２の表示形態に変化したことが前記筐体の外側から視認可能な状態で前記筐体に取り付けられた温度情報表示ユニットと
を備えることを特徴とする電球形照明用光源。
【請求項２】
前記熱変形性部材は、前記筐体が第１の温度以下の場合は第１の形状に、第２の温度以上の場合は第２の形状に、その形状が可逆的に変形し、
前記温度情報表示ユニットは、前記熱変形性部材の変形に応じて第１の表示形態と第２の表示形態とに可逆的に変化することを特徴とする請求項１に記載の電球形照明用光源。
【請求項３】
前記熱変形性部材は、二方向性形状記憶合金からなることを特徴とする請求項２に記載の電球形照明用光源。
【請求項４】
前記温度情報表示ユニットは、前記筐体に触ると火傷をする可能性がある危険な温度である旨を警告するための警告面を有する警告部材を備え、
前記警告部材は、前記温度情報表示ユニットが第１の表示形態の場合は、前記筐体の外側から前記警告面を視認できない第１の位置に在り、前記温度情報表示ユニットが第２の表示形態の場合は、前記筐体の外側から前記警告面を視認できる第２の位置に移動することを特徴とする請求項１から３のいずれかに記載の電球形照明用光源。
【請求項５】
前記警告部材は、前記警告面とは異なる色及び／又は模様が施された非警告面をさらに有し、第１の位置に在る場合は、前記筐体の外側から前記非警告面を視認できるが前記警告面を視認できず、第２の位置に在る場合は、前記筐体の外側から前記非警告面を視認できないが前記警告面を視認できることを特徴とする請求項４記載の電球形照明用光源。
【請求項６】
前記筐体は、内部に前記点灯ユニットが収納され、一端側に口金が取り付けられ、他端側に開口を有する筒状のケースと、前記ケースの前記開口を塞ぐように配置され前記点灯ユニットと反対側に前記発光モジュールが搭載されたヒートシンクとを備え、
前記ヒートシンクは、発光モジュール側から点灯ユニット側へと貫通する窓部を有し、
前記警告部材は、前記ヒートシンクの点灯ユニット側に配置され、第１の位置では前記警告面が前記ヒートシンクの発光モジュール側から前記窓部を介して視認できず、第２の位置では前記警告面が前記ヒートシンクの発光モジュール側から前記窓部を介して視認できることを特徴とする請求項４又は５に記載の電球形照明用光源。
【請求項７】
前記筐体は、内部に前記点灯ユニットが収納され、一端側に口金が取り付けられ、他端側に開口を有する筒状のケースと、前記ケースの開口を塞ぐように配置され前記点灯ユニットと反対側に前記発光モジュールが搭載されたヒートシンクとを備え、
前記ケースは、外周面に窓部を有し、
前記警告部材は、第１の位置では前記警告面が前記ケースの外周面よりもケース内側に位置し、第２の位置では前記警告面が前記窓部から突出した状態で前記ケースの外周面よりもケース外側に位置することを特徴とする請求項４に記載の電球形照明用光源。
【請求項８】
前記熱変形性部材は、前記ヒートシンクの点灯ユニット側であって前記ヒートシンクの近傍に配置されていることを特徴とする請求項６又は７に記載の電球形照明用光源。
【発明の詳細な説明】
【技術分野】
【０００１】
本発明は、電球形照明用光源に関し、特に、ＬＥＤモジュール等の発光モジュールを適用し、発光モジュール等の異常発熱により筐体が高温になった場合にその旨をユーザに報知する技術に関する。
【背景技術】
【０００２】
上記電球形照明用光源では、ＬＥＤモジュールや点灯ユニットから放出される熱を最適に放熱するために筐体にヒートシンクを備えているが、ＬＥＤモジュールで一部のＬＥＤがショートして過電流が流れたり点灯ユニットが部分的に故障したりすることによって異常発熱が生じた場合は、筐体が異常な高温となることがある。そこで、例えば特許文献１に係る照明用光源では、異常発熱が生じた場合に、ヒューズなどを用いて外部電源と点灯ユニットとを電気的に遮断し、筐体が異常な高温となることを防止している。
【特許文献１】特開２００７−２０７５０８号公報
【発明の開示】
【発明が解決しようとする課題】
【０００３】
しかしながら、ヒューズが機能する直前の筐体は、異常とは言えないまでもかなり高温になっており、不用意に触ると危険である。また、ヒューズが機能した直後の筐体も、温度が下がりきっておらず、不用意に触ると危険である。しかしながら、このような危険を筐体に触ることなく異常な高温状態を認識するのは容易ではない。
本発明は、上記のような課題に鑑みてなされたもので、筐体に触ると火傷をする可能性がある危険な温度であることをその筐体に触ることなく容易に認識できる電球形照明用光源を提供することを目的とする。
【課題を解決するための手段】
【０００４】
本発明に係る電球形照明用光源は、発光モジュールと、前記発光モジュールを点灯させる点灯ユニットと、前記発光モジュール及び点灯ユニットが取り付けられた筐体と、前記筐体内に配置され、当該筐体が第１の温度の場合は第１の形状であり、第１の温度よりも高い第２の温度になると第２の形状に変形する熱変形性部材と、前記熱変形性部材が第１の形状の場合は第１の表示形態に、前記熱変形性部材が第２の形状に変形するとその変形に応じて第２の表示形態に変化し、第１の表示形態から第２の表示形態に変化したことが前記筐体の外側から視認可能な状態で前記筐体に取り付けられた温度情報表示ユニットとを備えることを特徴とする。
【発明の効果】
【０００５】
上記構成によれば、熱変形性部材が第１の形状の場合は第１の表示形態に、熱変形性部材が第２の形状に変形するとその変形に応じて第２の表示形態に変化し、変化したことが筐体の外側から視認可能な状態で筐体に取り付けられた温度情報表示ユニットを備えているため、筐体に触ると火傷をする可能性がある危険な温度であることをその筐体に触ることなく容易に認識できる。しかも、筐体の温度の変化による熱変形性部材の変形に応じて温度情報表示ユニットの表示形態を変化させる構成であり、電気的な制御に依存していないため、点灯ユニット等に電気的な異常が生じた場合であっても、筐体が触ると危険な温度であることを認識できる。さらに、単純な部材のみを用いて比較的低コストで実現可能である。
【発明を実施するための最良の形態】
【０００６】
以下に本発明を実施するための最良の形態を、図面を参照して詳細に説明する。
［第１の実施形態］
＜概略構成＞
図１は、第１の実施形態に係る電球形照明用光源の構成を示す断面図である。図２は、図１におけるＡ−Ａ線断面斜視図である。
【０００７】
図１および図２に示すように、第１の実施形態に係る電球形照明用光源（以下、単に照明用光源）１００は、ケース１１０、ヒートシンク１２０、点灯ユニット１３０、口金１４０、発光モジュール１５０、グローブ１６０及び温度情報表示ユニット１７０を備える。
ケース１１０は、筒状であって、一端側には口金１４０（例えばＥ型口金）が取り付けられ、他端側にはその開口を塞ぐようにしてヒートシンク１２０が取り付けられている。
【０００８】
ヒートシンク１２０は、高さ寸法の短い略円柱形状であって、一方の円形面１２１（外側面１２１）から他方の円形面１２２（内側面１２２）へと貫通する開口形状が略方形の窓部１２３を有する。
照明用光源１００の筐体１０１は、ケース１１０とヒートシンク１２０とで構成されており、筐体１０１の外表面は、ケース１１０の外周面１１１、並びに、ヒートシンク１２０の外側面１２１及び側周面１２４で構成されている。そして、筐体１０１の外側からはヒートシンク１２０の窓部１２３を介してケース１１０の内部（筐体１０１の内側）を視認することが可能である。
【０００９】
点灯ユニット１３０は、ケース１１０の内部に収納されており、回路基板１３１および各種の電子部品１３２から構成され、口金１４０を通じて供給された電力を発光モジュール１５０に供給する機能を有する。なお、電力供給のための配線は本発明の本質部分ではないので図示を省略している。
発光モジュール１５０は、接合材１５３を介してヒートシンク１２０の外側面１２１に搭載されており、実装基板１５１および発光部１５２から構成される。発光部１５２は、点灯ユニット１３０から電力の供給を受けて発光するものであり、具体的には、青色ＬＥＤと、青色ＬＥＤを内包するよう成形された、黄色蛍光体材料を含有するシリコーン樹脂成形体とから構成されている。
【００１０】
グローブ１６０は、発光モジュール１５０を覆うようにしてヒートシンク１２０に固定されている。
温度情報表示ユニット１７０は、ケース１１０の内部であってヒートシンク１２０の内側面１２２における窓部１２３近傍に配置されている。
＜詳細構成＞
次に、要部である温度情報表示ユニット１７０を中心に照明用光源１００を詳細に説明する。図３は、温度情報表示ユニットを示す斜視図である。図４は、温度情報表示ユニットの表示形態の変化を説明するための図であり、図４（ａ）は第１の表示形態を示す図、図４（ｂ）は第２の表示形態を示す図である。
【００１１】
図３に示すように、温度情報表示ユニット１７０は、警告部材１７１、枠部材１７２及び熱変形性部材１７３を備え、熱変形性部材１７３の変形に応じて第１の表示形態から第２の表示形態に変化することで筐体１０１の外表面が触ると危険な温度である旨を視覚的にユーザに警告する。
警告部材１７１は、略方形の板形状であって、一方の主面１７４が例えば赤色に塗装されており警告面となっている。
【００１２】
枠部材１７２は、警告部材１７１をスライド自在に保持する部材であって、警告部材１７１の前記一方の主面１７４（以下、警告面１７４）とは反対の主面側に警告部材１７１と平行に配置された板状の台座１７５と、当該台座１７５の外周縁に警告部材１７１の側方三方を囲むように設けられた、一対の対向する長尺レール１７６，１７７及びそれら長尺レール１７６，１７７の一端部を連結する短尺レール１７８とを備える。警告部材１７１の一対の対向する側端縁部１７９，１８０は、長尺レール１７６，１７７のレール溝１８１，１８２に嵌め込まれており、警告部材１７１はそれらレール溝１８１，１８２に沿ってスライドする。板状の台座１７５は、警告部材１７１側の主面１８３が警告部材１７１の警告面１７４とは異なる色、例えば白色となっている。
【００１３】
図１に示すように、温度情報表示ユニット１７０は、警告部材１７１の警告面１７４がヒートシンク１２０の内側面１２２に対して平行となる状態で内側面１２２に固定されており、警告部材１７１は、一対の長尺レール１７６，１７７のレール溝１８１，１８２に沿ってヒートシンク１２０の内側面１２２と平行を保ちながらスライドする。
熱変形性部材１７３は、「く」字形に折り曲げられた長尺板状の部材であって、その一端部１８４は警告部材１７１の短尺レール１７８とは反対側の側面１８５に固定されており、他端部１８６は、枠部材１７２の板状の台座１７５の警告部材１７１側の主面１８３に立設された柱状の固定部１８７に固定されている。
【００１４】
熱変形性部材１７３は、温度情報表示ユニット１７０がヒートシンク１２０の内側面１２２に取り付けられているためヒートシンク１２０の近傍に位置する。したがって、ヒートシンク１２０の熱が伝搬し易く（温度に関してヒートシンク１２０の影響を受け易く）、ヒートシンク１２０の温度が上昇すると熱変形性部材１７３の温度も上昇し、ヒートシンク１２０の温度が低下すると熱変形性部材１７３の温度も低下する。そして、熱変形性部材１７３は、例えば、ＮｉＴｉ系の二方向性の形状記憶合金からなるため、筐体１０１が第１の温度以下の場合は第１の形状に、第２の温度以上の場合は第２の形状に、その形状が可逆的に変形する。熱変形性部材１７３が第１の形状の場合に温度情報表示ユニット１７０は第１の表示形態であり、熱変形性部材１７３が第２の形状の場合に温度情報表示ユニット１７０は第２の表示形態である。
【００１５】
より具体的に説明すると、図４（ａ）に示すように、熱変形性部材１７３は、ヒートシンク１２０の側周面１２４が第１の温度の場合は、折れ角度が小さい第１の角度α１で、端部間距離が短い第１の距離Ｌ１の形状を有するため、熱変形性部材１７３の一端部１８４が枠部材１７２の固定部１８７に近づいており、警告部材１７１は固定部１８７に近い第１の位置に在る。警告部材１７１が第１の位置に在る場合、温度情報表示ユニット１７０は第１の表示形態であり、この状態において警告部材１７１の位置と２点鎖線で示す窓部１２３の位置とは一致しておらず、窓部１２３を介して筐体１０１の外側（ヒートシンク１２０の外側面１２１側）から警告面１７４を視認できない。この場合、窓部１２３からは板状の台座１７５の警告部材１７１側の主面１８３が見えるため、窓部１２３内は当該主面１８３の色である白色に見える。
【００１６】
一方、図４（ｂ）に示すように、熱変形性部材１７３は、ヒートシンク１２０の側周面１２４が第２の温度の場合は、折れ角度が大きい第１の角度α２で、端部間距離が長い第２の距離Ｌ２の形状を有するため、熱変形性部材１７３の一端部１８４が枠部材１７２の固定部１８７から遠ざかっており、警告部材１７１は固定部１８７から遠い第２の位置に在る。警告部材１７１が第２の位置に在る場合、温度情報表示ユニット１７０は第２の表示形態であり、この状態において警告部材１７１の位置と２点鎖線で示す窓部１２３の位置とは一致しており、窓部１２３を介して筐体１０１の外側（ヒートシンク１２０の外側面１２１側）から警告面１７４を視認できる。この場合、窓部１２３内は警告面１７４の色である赤色に見える。
【００１７】
なお、図１に示すように、ヒートシンク１２０の発光モジュール１５０側はグローブ１６０で覆われているが、当該グローブ１６０は半透明または透明の材料で形成されており、警告部材１７１が図４（ｂ）に示すような第２の位置に在る場合は、警告面１７４をグローブ１６０の外側から視認することができる。なお、警告面１７４をより視認し易くするために、グローブ１６０の一部（窓部１２３を介して警告面１７４が見える部分）が透明度の高い半透明或いは透明で、残りの部分が前記部分よりも透明度の低い半透明である構成としても良い。また、グローブ１６０を備えない構成としても良く、その場合は、窓部１２３を介して筐体１０１内に埃などが入らないように、窓部１２３を透明又は半透明の部材で塞いでも良い。
【００１８】
上記において、第１の温度とは、例えば、ユーザがヒートシンク１２０の側周面１２４を触っても安全な温度であって、例えば約８５℃以下である。このようにヒートシンク１２０の側周面１２４が約８５℃以下の場合（ヒートシンク１２０が約８５℃以下の場合）、ヒートシンク１２０の近傍に配置された熱変形性部材１７３も同じく約８５℃以下になるため、熱変形性部材１７３は約８５℃以下で図４（ａ）に示すような第１の形状になるよう設計すれば良い。
【００１９】
また、第２の温度とは、例えば、ユーザがヒートシンク１２０の側周面１２４を触ると危険な温度であって、例えば第１の温度が約８５℃であり形状記憶合金の立上り特性が例えば約１０℃の場合は、第２の温度を例えば約９５℃以上とすることが考えられる。このようにヒートシンク１２０の側周面１２４が約９５℃以上の場合（ヒートシンク１２０が約９５℃以上の場合）、ヒートシンク１２０の近傍に配置された熱変形性部材１７３も同じく約９５℃以上になるため、熱変形性部材１７３は約９５℃以上で図４（ｂ）に示すような第２の形状になるよう設計すれば良い。
【００２０】
さらに、ヒートシンク１２０の側周面１２４が、第１の温度と第２の温度との間の温度である場合、すなわち上記の例であれば約８５℃を超え約９５℃未満の場合は、熱変形性部材１７３も同じく約８５℃を超え約９５℃未満になる。そして、熱変形性部材１７３は、その温度範囲の場合に、折れ角度が第１の角度α１と第２の角度α２との間の角度となり、端部間距離が第１の距離Ｌ１と第２の距離Ｌ２との間の距離となり、図４（ａ）に示す第１の形状と図４（ｂ）に示す第２の形状との間の形状となる。したがって、警告部材１７１の位置と２点鎖線で示す窓部１２３の位置とは一部だけが一致した状態となり、窓部１２３を介して筐体１０１の外側（ヒートシンク１２０の外側面１２１側）から警告面１７４の一部だけが視認できる。この場合、窓部１２３からは警告面１７４の色である赤色と、台座１７５の警告部材１７１側の主面１８３の色である白色との両方の色が見える。
【００２１】
なお、熱変形性部材１７３は、温度が高くなるほど、折れ角度は大きくなり端部間距離は長くなる。したがって、ヒートシンク１２０の側周面１２４の温度が、第１の温度を超え第２の温度未満の場合は、温度が高くなるに従って警告部材１７１は図４（ａ）に示す位置から図４（ｂ）に示す位置まで暫時移動し、窓部１２３内全体に対する赤色（警告面１７４）が占める割合が大きくなる。
【００２２】
以上のような照明用光源１００において、発光モジュール１５０に過電流が流れたり、点灯ユニット１３０が故障したりして照明用光源１００で異常発熱が生じた場合は、筐体１０１の外表面が異常な高温となることがある。このような場合に、照明用光源１００を灯具から取り外そうとして筐体１０１の外表面に触ると、火傷などをするおそれがあり危険である。特に、筐体１０１の外表面の中でもヒートシンク１２０の側周面１２４は、ユーザが触る可能性の高い部分であり、また高温になり易い部分でもある。
【００２３】
しかしながら、照明用光源１００は、ヒートシンク１２０の側周面１２４が触っても安全な第１の温度である場合は窓部１２３内が白色に見えているが、ヒートシンク１２０の側周面１２４が触ると危険な第２の温度になると窓部１２３内が赤色に見える構成である。すなわち、触ると危険な温度になると、グローブ１６０越しに見える窓部１２３内の色が白色から赤色に変わる構成である。したがって、窓部１２３内が赤色のときは筐体１０１の外表面が高温であり触ると危険である旨を製品説明書などで説明しておけば、ユーザは窓部１２３内の色を見て筐体１０１が触ると危険な温度であるか否かを容易に判断することができる。すなわち、ユーザは照明用光源１００に触る際にグローブ１６０越しに赤い部分が見えていないかを確認し、見えていなければ安全であるとして筐体１０１に触ることができると、赤い部分が見えていればそれが見えなくなるまで筐体１０１に触ってはいけないと判断ができる。
【００２４】
なお、熱可変性部材１７３は、二方向性の形状記憶合金からなるため、第１の形状と第２の形状に可逆的に変形する。したがって、警告部材１７１も第１の位置と第２の位置とに可逆的に移動し、温度情報表示ユニット１７０も第１の表示形態と第２の表示形態とに可逆的に変化する。すなわち、ヒートシンク１２０の側周面１２４が第２の温度になって熱可変性部材１７３が第２の形状になったとしても、その後ヒートシンク１２０の側周面１２４の温度が第１の温度まで下がれば、熱可変性部材１７３の形状は第１の形状に戻る。したがって、警告部材１７１も、熱変形性部材１７３の変形に応じて第２の位置から第１の位置へと戻り、窓部１２３内も赤色から白色に戻る。このように、警告部材１７１が熱変形性部材１７３の可逆的な変形に応じて可逆的に移動するため、一度、ヒートシンク１２０の側周面１２４が第２の温度になり警告部材１７１が第２の位置に移動したからといって温度情報表示ユニット１７０の機能が損なわれるものではない。
［第２の実施形態］
＜概略構成＞
図５は、第２の実施形態に係る電球形照明用光源の構成を示す断面図である。図６は、図５におけるＢ−Ｂ線断面斜視図である。
【００２５】
図５および図６に示すように、第２の実施形態に係る照明用光源２００は、ケース１１０、ヒートシンク２２０、点灯ユニット１３０、口金１４０、発光モジュール１５０、グローブ２６０及び複数の温度情報表示ユニット２７０を備える。なお、第２の実施形態に係る照明用光源２００における第１の実施形態に係る照明用光源１００と共通する構成部分には、第１の実施形態に係る照明用光源１００と同じ符号を付してその構成部分の説明は省略する。
【００２６】
ヒートシンク２２０は、高さ寸法の短い略円柱形状であって、ヒートシンク２２０の外側面２２１の外周縁部に周方向に沿って等間隔をあけて、一方の円形面２２１（外側面２２１）から他方の円形面２２２（内側面２２１）へと貫通する開口形状が略円弧形の４つの窓部２２３〜２２６を有する。そして、ヒートシンク２２０の外側面２２１の略中心位置には発光モジュール１５０が搭載されている。
【００２７】
照明用光源２００の筐体２０１は、ケース１１０とヒートシンク２２０とで構成されており、筐体２０１の外表面は、ケース１１０の外周面１１１、並びに、ヒートシンク２２０の外側面２２１及び側周面１２７で構成されている。そして、筐体２０１の外側からはヒートシンク２２０の窓部２２３〜２２６を介してケース１１０の内部（筐体２０１の内側）を視認することが可能である。
【００２８】
グローブ２６０は、その開口径がヒートシンク２２０の外側面２２１よりも一回り小さく、発光モジュール１５０を覆い、ヒートシンク２２０の外側面２２１の外周縁部を覆わないようにしてヒートシンク２２０に固定されている。すなわち、ヒートシンク２２０の窓部２２３〜２２６はグローブ２６０の外側に出ている。
温度情報表示ユニット２７０は、ケース１１０の内部であってヒートシンク２２０の内側面２２２における４つの窓部２２３〜２３６近傍にそれぞれ１つずつ配置されている。
＜詳細構成＞
次に、要部である温度情報表示ユニット２７０を中心に照明用光源２００を詳細に説明する。図７は、温度情報表示ユニットを示す斜視図である。図８は、温度情報表示ユニットの表示形態の変化を説明するための図であり、図８（ａ）は第１の表示形態を示す図、図８（ｂ）は第２の表示形態を示す図である。
【００２９】
図７に示すように、温度情報表示ユニット２７０は、警告部材２７１、ホルダ部材２７２及び熱変形性部材２７３を備え、熱変形性部材２７３の変形に応じて第１の表示形態から第２の表示形態に変化することで筐体２０１の外表面が触ると危険な温度である旨を視覚的にユーザに警告する。
ホルダ部材２７２は、板状の台座２７４と、当該台座２７４の一方の主面２７５に立設された回転軸２７６と、前記主面２７５に設けられた長尺方形の枠体２７７とを備え、回転軸２７６には、警告部材２７１が回転自在に軸支されており、前記枠体２７７内には、仕切り板２７８、コイルばね２７９、熱変形性部材２７３、及び棒状部材２８０が収納されている。
【００３０】
警告部材２７１は、略半円柱状であって、半円形面２８１がホルダ部材２７２の台座２７４と平行になり、かつ、平坦側面２８２が枠体２７７と対向するように配置されている。警告部材２７１の半円形面２８１は、色及び／又は模様の異なる２つの領域２８３，２８４を有し、例えば、一方の領域２８３は赤色に塗装された警告面２８３、他方の領域２８４は青色に塗装された非警告面２８４となっている。
【００３１】
仕切り板２７８は、枠体２７７には固着されておらず、枠体２７７の内部空間を長手方向（図７におけるＸＹ方向）に二分しており、二分された空間のうち、警告部材２７１に近い方の空間にはコイルばね２７９が、警告部材２７１から遠い方の空間には熱変形性部材２７３がそれぞれ配置されている。コイルばね２７９は、仕切り板２７８をＸ方向に付勢するようにして配置されている。
【００３２】
熱変形性部材２７３は、一方向性形状記憶合金からなるコイル形状の部材であって、ヒートシンク２２０の側周面２２７が第１の温度の場合は、コイルばね２７９に付勢された仕切り板２７８に押されて収縮した第１の形状となっているが、ヒートシンク２２０の側周面２２７が第２の温度になると、その形状記憶特性によりＸＹ方向に伸張しコイルばね２７９に付勢された仕切り板２７８をＹ方向に押し戻して第２の形状となる。一方、熱変形性部材２７３は、一方向性形状記憶合金からなるためそれ自体の特性によっては収縮することが出来ず、ヒートシンク２２０の側周面２２７が第２の温度から第１の温度になるとコイルばね２７９の作用により仕切り板２７８に押されて収縮し第２の形状となる。すなわち、コイルばね２７９のばね作用と熱変形性部材２７３の形状記憶特性とによって、仕切り板２７８はＸＹ方向に可逆的に移動し、また熱変形性部材２７３は第１の形状と第２の形状とに可逆的に変形する。
【００３３】
このように、熱変形性部材２７３がその部材自体の機能だけでは第２の形状から第１の形状に変形できない（第１の形状と第２の形状とに可逆的に変形できない）場合であっても、他の部材（本実施の形態ではコイルばね２７９）と組み合わせることによって、第２の形状から第１の形状に変化できる（第１の形状と第２の形状とに可逆的に変形できる）構成とすることが可能である。なお、熱変形性部材２７３が二方向性形状記憶合金からなり、その両端部がそれぞれ枠体２７７及び仕切り板２７８に固着されていれば、コイルばね２７９が無くても可逆的な変形が可能である。
【００３４】
棒状部材２８０は、ＸＹ方向に沿い、枠体２７７及び仕切り板２７８を貫通し、コイルばね２７９及び熱変形性部材２７３のコイル内を挿通するようにして配置されている。当該棒状部材２８０は、枠体２７７には固着されていないため枠体２７７に対してＸＹ方向に自在にスライドするが、仕切り板２７８とは一体に固着されているため、仕切り板２７８がＸＹ方向に移動するとそれに伴いＸＹ方向に移動する。
【００３５】
棒状部材２８０がＹ方向に移動すると、棒状部材２８０の警告部材２７１側の端部２８５が警告部材２７１の平坦側面２８２における回転軸２７６よりも棒状部材２８０側の領域２８６を押すため警告部材２７１はＶ方向に回転する。一方、棒状部材２８０がＸ方向に移動すると、警告部材２７１に取り付けられたねじりコイルばね２８７の作用によって警告部材２７１はＷ方向に回転する。ねじりコイルばね２８７は、そのコイル内を回転軸２７６が貫通し、固定端となる一端部２８８側が台座２７４の一方の主面２７５に立設された固定部２８９に固定され、自由端となる他端部２９０側が警告部材２７１の平坦側面２８２における回転軸２７６を挟んで前記領域２８６とは反対側の領域２９１の溝２９２内に嵌め込まれており、コイルを巻き込む方向に加重がかかった状態で取り付けられている。
【００３６】
図５に示すように、熱変形性部材２７３は、温度情報表示ユニット２７０がヒートシンク２２０の内側面２２２に取り付けられているためヒートシンク２２０の近傍に位置する。したがって、ヒートシンク２２０の熱が伝搬し易く、ヒートシンク２２０の温度が上昇すると熱変形性部材２７３の温度も上昇し、ヒートシンク２２０の温度が低下すると熱変形性部材２７３の温度も低下する。そして、熱変形性部材２７３は、例えば筐体２０１が第１の温度以下の場合は第１の形状に、第２の温度以上の場合は第２の形状に、その形状が可逆的に変形する。
【００３７】
より具体的に説明すると、図８（ａ）に示すように、熱変形性部材２７３は、ヒートシンク２２０の側周面２２７が第１の温度の場合は、収縮した第１の形状を有するため、仕切り板２７８は枠体２７７内におけるＸ方向側に寄っており、棒状部材２８０もＸ方向側に移動しており、警告部材２７１はねじりコイルばね２８７の作用によりＷ方向に付勢されて第１の位置に在る。警告部材２７１が第１の位置に在る場合、温度情報表示ユニット２７０は第１の表示形態であり、この状態において２点鎖線で示す窓部２２３の位置には非警告面２８４が在り、窓部２２３を介して筐体２０１の外側（ヒートシンク２２０の外側面２２１側）からは非警告面２８４を視認でき、窓部２２３内は非警告面２８４の色である青色に見える。窓部２２４〜２２６についても同様である。
【００３８】
一方、図８（ｂ）に示すように、熱変形性部材２７３は、ヒートシンク２２０の側周面２２７が第２の温度の場合は、伸張した第２の形状を有するため、仕切り板２７８は枠体２７７内におけるＹ方向側に寄っており、棒状部材２８０もＹ方向側に移動しており、警告部材２７１は棒状部材２８０の端部２８５に押されてＶ方向に回転し第２の位置に在る。警告部材２７１が第２の位置に在る場合、温度情報表示ユニット２７０は第２の表示形態であり、この状態において２点鎖線で示す窓部２２３の位置には警告面２８３が在り、窓部２２３を介して筐体２０１の外側（ヒートシンク２２０の外側面２２１側）からは警告面２８３が視認でき、窓部２２３内は警告面２８３の色である赤色に見える。窓部２２４〜２２６についても同様である。
【００３９】
なお、図５及び図６に示すように、ヒートシンク２２０の発光モジュール１５０側はグローブ２６０で覆われていないため、当該グローブ２６０が不透明であっても窓部２２３から筐体２０１の内側を視認することができる。
以上のような第２の実施形態に係る照明用光源２００においては、ユーザは筐体２０１に触る際に窓部２２３〜２３６内が青色か赤色かを確認し、青色であれば筐体２０１に触っても安全であると判断し、赤色であれば青色になるまで筐体２０１に触ってはいけないと判断できる。
【００４０】
なお、第２の実施形態において、第１の温度及び第２の温度の意味については、第１の実施形態と同様である。そして、ヒートシンク２２０の側周面２２７が、第１の温度と第２の温度との間の温度である場合、窓部２２３〜２３６からは非警告面２８４の色である青色と、警告面２８３の色である赤色とが見える。そして、ヒートシンク２２０の側周面２２７の温度が触ると危険な温度に近づくほど、窓部２２３〜２３６内全体に対する赤色（警告面２８３）が占める割合が大きくなる。
［変形例］
以上、本発明に係る照明用光源を実施の形態に基づいて具体的に説明してきたが、本発明の内容は、上記の実施の形態に限定されない。例えば、以下のような変形例が考えられる。
＜温度情報表示ユニット＞
第１の実施の形態では、筐体が第１の温度である場合は窓部内が白色に見え第２の温度になると赤色に変わる構成であり、第２の実施の形態では、筐体が第１の温度である場合は窓部内が青色に見え第２の温度になると赤色に変わる構成であったが、本発明はそれら組み合わせて色が変わる構成に限定されず、他の組み合わせで色が変化する構成であっても良い。さらに、色が変化するだけでなく、模様（文字、記号、絵なども含む）が変化したり、色と模様の両方が変化したりする構成であっても良い。なお、変化する色や模様は、筐体が第１の温度の場合は筐体やグローブに対して目立たない色や模様とし、第２の温度の場合は目立つ色や模様とすることが考えられる。
【００４１】
また、第１の実施形態では、筐体が触ると危険な温度（第２の温度）になると窓部内が目立つ色に変わる構成であったが、逆に、危険な温度になると窓部内から目立つ色が消える構成であっても良い。例えば、第１の実施形態において、台座１７５の警告部材１７１側の主面１８３を青色にし、警告面１７４を白色にすることによって、温度情報表示ユニット１７０が第１の表示形態の場合は筐体１０１の外側から窓部１２３を介して前記主面１８３の青色が見え、第２の表示形態になるとその青色の部分が警告部材１７１に覆われて白色に見えるようにし、窓部１２３内から青色が消えていると筐体１０１が危険な温度になっていると認識させる構成であっても良い。
【００４２】
また、本発明は、色や模様の変化によって筐体が危険な温度である旨を認識させる構成に限定されず、視覚的な変化によって筐体が危険な温度である旨を認識させる構成であれば良く、図９に示す変形例に係る照明用光源３００のように、例えば形状の変化により筐体が危険な温度である旨を認識させる構成であっても良い。
電球形照明用光源３００は、ケース３１０、ヒートシンク３２０、点灯ユニット１３０、口金（不図示）、発光モジュール１５０、および温度情報表示ユニット３７０を備える。ヒートシンク３２０は、ケース３１０の開口を塞ぐように当該開口内に配置されており、高さ寸法の短い円柱状のヒートシンク本体３２１と、ヒートシンク本体３２１の点灯ユニット１３０側の円形面に重ねられた円盤状の蓋体３２２とからなり、ヒートシンク本体３２１の点灯ユニット１３０側の円形面には凹入部３２３が設けられている。筐体３０１は、ケース３１０及びヒートシンク３２０からなり（筐体３０１の外表面は、ケース３１０の外周面とヒートシンク３２０の外側面とからなる）、それらケース３１０及びヒートシンク３２０を貫通しケース３１０の外側とヒートシンク３２０の凹入部３２３とを連通させる窓部３０２が形成されている。なお、点灯ユニット１３０及び発光モジュール１５０は、第１の実施形態と同様であるため説明を省略する。
【００４３】
温度情報表示ユニット３７０は、第１の形状と第２の形状とに可逆的に変形するコイル状の熱変形性部材３７１と、当該熱変形性部材３７１が収納された枠体３７２と、熱変形性部材３７１の変形に応じて可逆的に移動する棒状部材３７３と、棒状部材３７３の一端部に固着され筐体３０１の窓部３０２内に遊挿された警告部材３７４とを備える。なお、熱変形性部材３７１、枠体３７２及び棒状部材３７３の構成は、第２の実施形態に係る熱変形性部材２７３、枠体２７７及び棒状部材２８０と略同様の構成であり、同様の機能を発揮する。
【００４４】
電球形照明用光源３００では、ケース３１０の外周面の温度が第１の温度の場合は、図９（ａ）に示すように、二方向性形状記憶合金からなる熱変形性部材３７１が伸張した第１の形状であり、警告部材３７４は窓部３０２内に収まっており（筐体３０１の外表面から突出しておらず）筐体３０１の外側からは視認できない。一方、ケース３１０の外表面の温度が第２の温度になると、図９（ｂ）に示すように、熱変形性部材３７１は収縮した第２の形状に変形し、その変形に応じて棒状部材３７３は警告部材３７４側に移動し、その移動に伴って警告部材３７４も同じ方向に移動する。したがって、警告部材３７４における棒状部材３７３とは反対側の端部３７５は、窓部３０２内から外に出てケース３１０の外表面から突出し、警告面としての前記端部３７５の表面が筐体３０１の外側から視認できるようになる。
【００４５】
上記構成の場合、ユーザは、筐体３０１の外表面から端部３７５が突出していれば筐体３０１が危険な温度になっていると判断することができる。この場合、警告部材３７４の前記端部３７５の表面を着色して、ケース３１０の外表面から突出した端部３７５を筐体３０１の外側から認識し易くすることが考えられる。
＜熱変形性部材＞
第１及び第２の実施形態に係る熱変形性部材は、ヒートシンクの側周面が第１及び第２の温度である場合にそれぞれ第１及び第２の形状に変形する構成であったが、本発明において第１及び第２の温度の対象となる部位はヒートシンクの側周面に限定されず、例えばケースの外周面やヒートシンクの外表面などの筐体の外表面を構成する部位であっても良い。さらには、筐体の外表面ではなく、筐体の内表面や表面以外の部分であっても良い。
【００４６】
また、熱変形性部材は、Ｎｉ−Ｔｉ系の形状記憶合金に限定されずＣｕ−Ｚｎ−Ａｌ系やＦｅ−Ｍｎ−Ｓｉ系の形状記憶合金等であっても良く、さらに、形状記憶合金からなる部材に限定されず、筐体が第１の温度の場合に第１の形状を有し、筐体が第２の温度になると第２の形状に変形する部材であれば形状記憶樹脂やバイメタルのような形状記憶合金以外の材料で構成された部材であっても良い。
＜その他＞
電球形照明用光源は、必ずしも白熱電球と同じ外観形状を有する必要はなく、白熱電球代替を目的とした照明用光源であって、白熱電球用の灯具に適用できるように点灯回路と口金とを備えた照明用光源であれば良い。
【００４７】
発光モジュールは、ＬＥＤモジュールに限定されず、例えば半導体レーザダイオードや電界発光素子等のＬＥＤ以外の固体発光素子を備えたモジュールであっても良く、さらに、一対の電極が封止され内面に蛍光体層を有し内部に水銀等が封入された発光管であっても良い。
口金は、Ｅ形（所謂エジソンタイプ）等のネジタイプの口金に限定されず、ピンタイプの口金であっても良い。
【産業上の利用可能性】
【００４８】
本発明は、照明一般に広く利用することができる。
【図面の簡単な説明】
【００４９】
【図１】第１の実施形態に係る電球形照明用光源の構成を示す断面図
【図２】図１におけるＡ−Ａ線断面斜視図
【図３】温度情報表示ユニットを示す斜視図
【図４】温度情報表示ユニットの表示形態の変化を説明するための図であり、図４（ａ）は第１の表示形態を示す図、図４（ｂ）は第２の表示形態を示す図
【図５】第２の実施形態に係る電球形照明用光源の構成を示す断面図
【図６】図５におけるＢ−Ｂ線断面斜視図
【図７】温度情報表示ユニットを示す斜視図
【図８】温度情報表示ユニットの表示形態の変化を説明するための図であり、図８（ａ）は第１の表示形態を示す図、図８（ｂ）は第２の表示形態を示す図
【図９】変形例に係る電球形照明用光源の温度情報表示ユニットを説明するための図であって、図９（ａ）は第１の表示形態を示す図、図９（ｂ）は第２の表示形態を示す図
【符号の説明】
【００５０】
１００，２００，３００  電球形照明用光源
１０１，２０１，３０１  筐体
１１０，３１０  ケース
１２０，２２０，３２０  ヒートシンク
１２３，２２３〜２２６，３０２  窓部
１３０  点灯ユニット
１４０  口金
１５０  発光モジュール
１７０，２７０，３７０  温度情報表示ユニット
１７１，２７１，３７４  警告部材
１７３，２７３，３７１  熱変形性部材
１７４，２８３  警告面
２８４  非警告面
【図１】
2010176902.tif 000003
【図２】
2010176902.tif 000004
【図３】
2010176902.tif 000005
【図４】
2010176902.tif 000006
【図５】
2010176902.tif 000007
【図６】
2010176902.tif 000008
【図７】
2010176902.tif 000009
【図８】
2010176902.tif 000010
【図９】
2010176902.tif 000011